(57)【特許請求の範囲】
【請求項１】
着座時に使用者の骨盤を支持する弾性体と、
前記弾性体の一方に設けられる第１支持体と、
前記弾性体の他方に設けられる第２支持体とを備え、
前記弾性体は、前記第１支持体及び前記第２支持体との間に配設され、弾性変形し、骨盤
側に突出する突出部を有し、
前記突出部は、内部に設けられたエラストマー樹脂の樹脂弾性部材によって突出し、前記樹脂弾性部材の一部を収容する収容部を有する第１ウレタン生地と、前記樹脂弾性部材を被覆する第２ウレタン生地とによって、前記樹脂弾性部材を支持することで突出し、
使用する際に、前記第１支持体又は前記第２支持体のいずれかの端部の一方が下端、他方が上端となり、前記突出部の中心から前記第１支持体の前記端部までの距離と、前記第２支持体の前記端部までの距離とが異なる
身体支持具。
【請求項２】
前記弾性体は、複数の前記樹脂弾性部材を設けることで複数の前記突出部を形成する
請求項１に記載の身体支持具。
【請求項３】
前記身体支持具は、前記第１支持体及び前記第２支持体が配設される方向と直交する方向に、少なくとも前記弾性体を挟み込むように設けられた第３支持体を有する
請求項１又は請求項２に記載の身体支持具。
【発明の詳細な説明】
【技術分野】
【０００１】
本発明は、座席と使用者との間に配置され、使用者の骨盤を支持する身体支持具に関するものである。
【背景技術】
【０００２】
特許文献１に開示されている従来の身体支持具（身体サポート具）は、柔軟性を有する弾性体（クッション体）を、硬化樹脂を含浸させたシート状の被覆体で被覆し、身体の一部分に当接させその部分に合致した形状に硬化させて使用する身体支持具であって、弾性体に貫通孔８ａ若しくは貫通状態の切欠部を形成又は弾性体の形状を設定して、弾性体の厚み方向に弾性体のない部分が生じるように構成して、身体の部分に当接してその部分に合致した形状に硬化させる際、身体当接側の被覆体と、身体当接側の被覆体と対向する反対側の被覆体とが、弾性体のない部分を介して接触し、硬化によって接着するような構成となっている。
【先行技術文献】
【特許文献】
【０００３】
【特許文献１】特許第３５９０３３１号公報
【発明の概要】
【発明が解決しようとする課題】
【０００４】
上記した特許文献１の身体支持具は、弾性体を被覆する硬化樹脂を含浸させたシート状の被覆体によって、使用者の体格又は体型にあった着座形状に成形することができる。しかしながら、身体支持具は、硬化された被覆体によって覆われているため、身体への支持力が高められるが、長距離ドライブの際、使用者は体の姿勢を変えることができずに同じ姿勢を強いられるおそれがある。また、同じ姿勢を保つことによる疲労を緩和させる場合、使用者は、車両の座席から身体支持具を外し、座席に直接背をつける必要があり、運転時に身体支持具を使い続けることができない。
【０００５】
そこで、本発明は、使用者の体格や体型及び疲労度等に応じて、骨盤を支持する位置の調整を行うことができ、長時間の使用が可能な身体支持具を提供する。
【課題を解決するための手段】
【０００６】
上記の課題を解決するために講じた手段は、身体支持具が、着座時に使用者の骨盤を支持する弾性体と、弾性体の一方に設けられる第１支持体と、弾性体の他方に設けられる第２支持体とを備え、弾性体は、第１支持体及び第２支持体との間に配設され、弾性変形し、骨盤側に突出する突出部を有し、前記突出部は、内部に設けられたエラストマー樹脂の樹脂弾性部材によって突出し、前記樹脂弾性部材の一部を収容する収容部を有する第１ウレタン生地と、前記樹脂弾性部材を被覆する第２ウレタン生地とによって、前記樹脂弾性部材を支持することで突出し、使用する際に、第１支持体又は第２支持体のいずれかの端部の一方が下端、他方が上端となり、突出部の中心から第１支持体の端部までの距離と、第２支持体の端部までの距離とが異なる構成とする。
【０００９】
また、弾性体は、複数の樹脂弾性部材を設けることで複数の突出部を形成するとよい。
【００１０】
また、身体支持具は、第１支持体及び第２支持体が配設される方向と直交する方向に、少なくとも弾性体を挟み込むように設けられた第３支持体を有するとよい。
【発明の効果】
【００１１】
本発明によれば、身体支持具は、弾性体に設けられた弾性変形する突出部が、使用者の骨盤を押すことで姿勢を正すように使用者へ促すことができるため、未使用時の姿勢の崩れによる特定の部分に力が加わることを抑制することができる。さらに、突出部は、使用者に対して骨盤を押していると認識させることができるため、使用者が骨盤を伸ばす（姿勢を正す）ことへの意識を高めることができる。また、身体支持具は、突出部の中心から第１支持体側の端部までの距離と、突出部の中心から第２支持体側の端部までの距離とが異なっているため、使用者の体格や体型による骨盤の位置ずれに関して、第１支持体及び第２支持体を使用する向きによって調整が可能となる。例えば、身体支持具は、長時間の使用中に使用者の姿勢が崩れても、上記の方法によって骨盤を支持できる別の位置へ調整が可能となり、従来技術と比べ、運転時にも常に使用することができる。したがって、本発明の身体支持具は、使用者の体格や体型及び疲労度等に応じて、骨盤を支持する位置の調整を行うことができ、長時間の使用が可能となる。
また、突出部がエラストマー樹脂の樹脂弾性部材で形成されているため、温度変化（使用場所の温度や使用者から伝達される熱等）による硬さの変化が他の弾性体と比較して少ないため、長時間の使用でも使用者に与える押圧感覚を一定に保つことができる。
また、突出部は、樹脂弾性部材の一部を第１ウレタン生地の収容部へ収容し、他の部分を第２ウレタン生地で被覆することで、ウレタン生地の形状変形の容易さによって弾性部材の形状に対して密着性を高めることができるため、保持力が高められ樹脂弾性部材の位置ずれを抑制することが可能である。さらに、身体支持具は、使用者と樹脂弾性部材との間に配置されたウレタン生地の形状変形の容易さを利用することで、身体の形に合った状態で使用することが可能となる。
【００１４】
また、弾性体は、複数の突出部を有していることで、突出部が使用者の骨盤を指圧するような感覚を与えるため、使用者が骨盤を伸ばす（姿勢を正す）ことへの意識を高めることができ、長時間の使用で使用者へ与える不快感を抑制することができる。  
また、身体支持具は、第３支持体を設けることにより使用者の横腹部分を支持することができるため、使用者の姿勢が崩れた際（特に身体支持具が横ずれをした場合）に弾性体の突出部を適した位置（骨盤の位置）に調整することが可能となる。
【図面の簡単な説明】
【００１５】
【図１】本発明に係わる身体支持具の座席での使用状態を示す説明図である。
【図２】図１に示す身体支持具の正面図である。
【図３】図２に示す身体支持具のＡ−Ａ断面の断面図である。
【図４】図２に示す身体支持具のＢ−Ｂ断面の断面図である。
【発明を実施するための形態】
【００１６】
以下、本発明に係わる身体支持具１の構成について図１から図２を参照にして説明する。図１は、本発明に係わる身体支持具１の座席２での使用状態を示す説明図であり、図２は、図１に示す身体支持具１の正面図を示している。
【００１７】
図１より、身体支持具１は、座席２と使用者の間に配置された状態で使用される。身体支持具１は、使用者の骨盤の上方を押すように身体支持具１の突出部３ａが当接し、骨盤を支持している。
【００１８】
図２より身体支持具１は、使用者の骨盤と当接する突出部３ａを有する弾性体３と、図１に示す使用状態において弾性体３を介して配設された第１支持体４及び第２支持体５と、弾性体３を水平方向で挟み込むように設けられる第３支持体６とを備えており、それぞれを縫製する縫製部７によって、弾性体３及び各支持体４、５、６が区画されている。弾性体３には、内部の樹脂弾性部材３ｂ（弾性部材）によって形成される複数の突出部３ａを有しており、突出部３ａ間には所定距離Ｘ１が設けられている。本実施形態では、２つの突出部３ａが水平方向に所定距離Ｘ１（突出部３ａの中心間の距離は約１３０ｍｍ）を保持して並設されている。また、図２に示す突出部３ａ間の中心Ｏ（突出部３ａが一つの場合は、突出部３ａの中心）から図１に示すように使用する際に、上端又は下端となる第１支持体４の端部４ａまでの距離Ｙ１と、図１に示すように使用する際に、下端又は上端となる第２支持体５の端部５ａまでの距離Ｙ２とでは、第１支持体４の端部４ａまでの距離Ｙ１のほうが第２支持体５の端部５ａまでの距離Ｙ２が異なる構造（本実施形態ではＹ１＞Ｙ２である）となっている。上記した上端及び下端となる端部４ａ、４ｂは、座席と当接する部分又は、突出部３ａ間の中心Ｏから距離Ｙ１、Ｙ２が最長となる部分を示している。例えば、第１支持体４の端部４ａまでの距離Ｙ１が約２２０ｍｍに対して、第２支持体５の端部５ａまでの距離Ｙ２は約１８０ｍｍとなっている。これにより、身体支持具１は、第１支持体４を下方になるように使用する場合と、第２支持体５を下方になるように使用する場合とでは、骨盤を支持する弾性体３の位置が異なる。このため、身体支持具１は、図１に示すような突出部３ａが骨盤を押す位置を第１支持体４の端部４ａまでの距離Ｙ１及び第２支持体５の端部５ａまでの距離Ｙ２の違いを利用して使用者の体格や体型又は疲労度に応じて調整することができる。また、第３支持体６は、図１に示す使用状態での使用者の横腹部分を両側から支持することが可能であるため、弾性体３の横方向（水平方向）の位置調整をすることができる。
【００１９】
次に、本発明に係わる身体支持具１の内部の構成について図３から図４を参照にして説明する。図３は、図２に示す身体支持具１のＡ−Ａ断面の断面図を示し、図４は、図２に示す身体支持具１のＢ−Ｂ断面の断面図を示している。
【００２０】
図３より、弾性体３の突出部３ａは、内部に円筒状の樹脂弾性部材３ｂ（直径５０ｍｍ、高さ４２．５ｍｍ）を有し、この樹脂弾性部材３ｂの一部が第１ウレタン生地８に設けられた孔８ａ（収容部）に収容され、他の部分が第２ウレタン生地９によって被覆されることで支持（挟持）されて突出している。第１ウレタン生地８及び第２ウレタン生地９は、図示しない接着剤によって接着されている。樹脂弾性部材３ｂは、エラストマー樹脂で形成されており、温度変化による硬さの変化が少なく、粘性がある。また、第１ウレタン生地８の孔８ａの底となる底部１０ａは、第１ウレタン生地８にフェルト生地１０が設けられている。樹脂弾性部材３ｂは、第１ウレタン生地８及び第２ウレタン生地９によって挟持されることで保持される。このとき、樹脂弾性部材３ｂは、樹脂弾性部材３ｂの粘性と、ウレタンの形状変形の容易さによって、図１の鉛直方向の下側に力が加わっても孔８ａからの脱落が防止される。さらに、身体支持具１が第１ウレタン生地８、第２ウレタン生地９、フェルト生地１０、及びこれらを覆う布地１１ａ、１１ｂが樹脂弾性部材３ｂを鉛直方向に挟み込むように縫製部７によって縫製されていることで、樹脂弾性部材３ｂは、第１ウレタン生地８及び第２ウレタン生地９によって支持される力が増すため、骨盤を押す位置を保持する力も増すことができる。この縫製部７により、身体支持具１は、弾性体３と、第１支持体４及び第２支持体５を区画されている。また、突出部３ａは、身体支持具１を覆う布地のフェルト生地１０側の裏布地１１ｂから第２ウレタン生地９側の表布地１１ａまでの高さＸ２が約５０ｍｍとなっている。この突出部３ａの高さＸ２は、身体支持具１を長時間使用しても使用者に不快感を与えることなく、支持していることを実感できる高さであると発明者の実施した感応評価を基に定めている。また、身体支持具１の周辺端部は、テープ等の保持部材１２により第１ウレタン生地８、第２ウレタン生地９、フェルト生地１０、及び布地１１ａ、１１ｂを束ねられると共に補強されている。上記のウレタン生地８、９は、形状変形が容易であるため、使用者へのフィット感を増すことができ、長時間の使用の際にも使用者の不快感や疲労を抑制することができる。
【００２１】
図４より、弾性体３の突出部３ａは、水平方向に２つの樹脂弾性部材３ｂを有し、この樹脂弾性部材３ｂが図３と同様に２つのウレタン生地８、９によって被覆されている。この２つの樹脂弾性部材３ｂは、所定間隔を保って配置されている。また、身体支持具１が第１ウレタン生地８、第２ウレタン生地９、フェルト生地１０、及びこれらを覆う布地が樹脂弾性部材３ｂを水平方向に挟み込むように縫製され、さらに２つの樹脂弾性部材３ｂの間も縫製されている。この縫製部７により、身体支持具１は、弾性体３と、第３支持体６とを区画されている。また、身体支持具１の弾性体３は、縫製することで、樹脂弾性部材３ｂを支持する力が高められると同時に突出部３ａが強調されるために、使用者に対して骨盤を押していると認識させることができるため、使用者が骨盤を伸ばす（姿勢を正す）ことへの意識を高めることができる。樹脂弾性部材３ｂ（突出部３ａ）の中心間の距離Ｘ１は、約１３０ｍｍ程度設けられている。この樹脂弾性部材３ｂの中心間の距離Ｘ１は、ＨＱＬ（社団法人人間生活工学研究センター）の統計を基に成人の腰の幅の平均値が一番小さい値（２０代女性）の約２分の１の距離になるように設定することで、弾性体３の突出部３ａが骨盤に当接するのに十分な距離を有している。また、使用者が、身体支持具１を使用した際に、身体支持具１の弾性体３の突出部３ａが使用者の腰と当接すると、第３支持体６は、縫製部７を支点として折り曲げられるため、使用者の横腹部分を支持することが可能となる。これにより、身体支持具１は、使用者の姿勢が崩れた際に、第３支持体６によって弾性体３の突出部３ａを水平方向の適した位置（骨盤の位置）に調整することが可能となる。
【００２２】
本実施形態の使用する用途は、図１に示されているように長距離の運転を行う際に、座席と使用者との間に設けられ、使用者の骨盤を弾性体３の突出部３ａによって押すように使用する。身体支持具１は、同じ姿勢を長時間保持する際の疲労の緩和を促し、使用者の体格や体型及び疲労度等に応じて、骨盤を支持する位置の調整が可能となる。また、身体支持具１は、第１支持体４及び第２支持体５の向きによって骨盤に対して弾性体３の位置調整が可能であるため、使用者が長時間の車両運転で姿勢が崩れる等しても、座席２から取り外すことなく、最適な位置で骨盤を支持することが可能となり、従来技術と比べ、運転時にも常に使用することができる。また、身体支持具１は、樹脂弾性部材３ｂを用いることで、身体からの熱や車内空間の温度変化等の熱変化による硬さの変化が少ないため、長時間の使用や季節を問わず、使用者に与える押圧感覚を一定に保つことができる。
【００２３】
なお、本発明は本実施形態に限定されるものではなく、以下に示す態様に変更してもよい。
【００２４】
・身体支持具１は、使用者の骨盤の上方を押すように身体支持具１の突出部３ａが当接しているがこれに限定されるものではない。使用者は、身体支持具１の突出部３ａを骨盤の下方又は中央部を押すように配置してもよい。身体支持具１は、第１支持体４及び第２支持体５の図１に示す鉛直方向の端部４ａ、５ａが突出部３ａの中心Ｏからの距離Ｙ１、Ｙ２が異なるため、使用者の体格や体型だけではなく、使用者の好みに合わせて、第１支持体４及び第２支持体５の上下の位置を調整してもよい。
【００２５】
・身体支持具１は、２つの樹脂弾性部材３ｂによって２つの突出部３ａを設けているが、３つ以上の突出部３ａや樹脂弾性部材３ｂの形状によって１つの突出部３ａを形成してもよい。ただし、身体支持具１は、水平方向に関して、両端となる突出部３ａ間又は突出部３ａの幅方向が少なくとも突出部３ａが骨盤に当接するように設けられる必要がある。
【００２６】
・身体支持具１は、弾性体３、第１支持体４、第２支持体５、第３支持体６とが、それぞれ縫製部７によって区画されているが、弾性体３、第１支持体４及び第２支持体５を縫製することなく一体として設けてもよい。この際、身体支持具１は、弾性体３の骨盤を押す突出部３ａの中心から一方の端部までの距離Ｙ１と他方の端部までの距離Ｙ２とが異なることで、使用者の体格や体型又は疲労度に応じて調整することができる。
【符号の説明】
【００２７】
１  身体支持具
３  弾性体
３ａ  突出部
３ｂ  樹脂弾性部材
４  第１支持体
４ａ  第１支持体側の端部
５  第２支持体
５ａ  第２支持体側の端部
Ｏ  突出部の中心
Ｙ１  突出部の中心から第１支持体の端部までの距離
Ｙ２  突出部の中心から第２支持体の端部までの距離
【図１】
0005741170.tif 000002
【図２】
0005741170.tif 000003
【図３】
0005741170.tif 000004
【図４】
0005741170.tif 000005